(57)【要約】 【課題】基部側に回転入力軸２を突設し、前面側に回転切断部３を設けた把持本体１内に、回転入力軸への回転入力を同一回転数となる平行二軸に出力するようにした回転伝達機構部を設け、前記回転切断部を、前記平行二軸の延長となるドリル軸３１と、外周先端にドリル軸と平行で且つドリル軸の先端位置に対応する突出長さとした切断刃体を設けると共に、且つ外周先端が互いに衝突しないように噛み合うような配置で、各ドリル軸に周設した枝板とで構成してなる二軸ホールソーを使用した際に、形成される瓢箪型掘穿孔を楕円型掘穿孔とする。【解決手段】両切断刃体３２の回転軌跡円の約接線上となるドリル軸３１の中間位置両外方位置に、前記ドリル軸の先端位置に対応する突出長さとした固定刃体３４を設ける。【選択図】図１
2010247306.tif 000002
【特許請求の範囲】
【請求項１】
基部側に回転入力軸を突設し、前面側に回転切断部を設けた把持本体内に、回転入力軸への回転入力を同一回転数となる平行二軸に出力するようにした回転伝達機構部を設け、前記回転切断部を、前記平行二軸の延長となるドリル軸と、外周先端にドリル軸と平行で且つドリル軸の先端位置に対応する突出長さとした切断刃体を設ける共に、外周先端が互いに衝突しないように噛み合うような配置で各ドリル軸に周設した枝板とで構成してなる二軸ホールソーにおいて、両切断刃体の回転軌跡円の約接線上となるドリル軸の中間位置両外方位置に、前記ドリル軸の先端位置に対応する突出長さとした固定刃体を設けたことを特徴とする二軸ホールソー。
【発明の詳細な説明】
【技術分野】
【０００１】
本発明は、主として石膏ボートで形成された壁面に、コンセントやスイッチボックスを埋設形成するための刳り貫き孔を穿つ二軸ホールソーに関するものである。
【背景技術】
【０００２】
ホールソーは周知の回転軸の先端にドリルを形成し、前記ドリル軸に円盤あるいは枝板を周設して、円盤外周部或いは枝板先端に前記ドリルと平行に切断刃を突設し、回転軸を適宜な電動工具に連結し、回転するドリル及び切断刃で面板を円形に刳り貫くようにしているものである（特許文献１，２参照）。
【０００３】
また壁面Ａに、コンセントＢやスイッチボックスを埋設形成する場合には、単純な円形孔の他に、縦長孔を掘穿する必要があり、この縦長孔を掘穿する器具として、二軸ホールソーが知られている。この器具は、基部に回転入力軸を突設した把持本体内に、二軸伝達機構を内装し、前面にドリルを平行に二軸突設し、各ドリル軸に枝板を互いに噛み合うような配置で周設し、各枝板の先端に切断刃体を突設したもので、各切断刃体が描く切断軌跡円は一部重なり合うので、前記器具による縦長掘穿孔は、瓢箪形状に形成されることになる。
【先行技術文献】
【特許文献】
【０００４】
【特許文献１】実公平７−１１８４６号公報。
【特許文献２】特開平９−１０３９０６号公報。
【発明の概要】
【発明が解決しようとする課題】
【０００５】
前記の二軸ドリルを備えたホールソーによる掘削孔は、図３に示した掘穿孔ａのように二つの円形の一部が重なり合った瓢箪形状に形成されるものである。このため特に当該掘穿孔ａにコンセントを設置するような場合には、多少の位置変更の余裕を持たせる必要上、瓢箪形状の括れ個所ｂを切除する必要がある。
【０００６】
この括れ個所ｂの切除は、ホールソーによる掘穿作業の後に改めて行う必要があり、作業が二度手間となってしまう。
【０００７】
そこで本発明は、コンセント用の縦長掘穿孔を形成する新規な二軸ホールソーを提案したものである。
【課題を解決するための手段】
【０００８】
本発明に係る二軸ホールソーは、基部側に回転入力軸を突設し、前面側に回転切断部を設けた把持本体内に、回転入力軸への回転入力を同一回転数となる平行二軸に出力するようにした回転伝達機構部を設け、前記回転切断部を、前記平行二軸の延長となるドリル軸と、外周先端にドリル軸と平行で且つドリル軸の先端位置に対応する突出長さとした切断刃体を設けると共に、外周先端が互いに衝突しないように噛み合うような配置で、各ドリル軸に周設した枝板とで構成してなる二軸ホールソーにおいて、両切断刃体の回転軌跡円の約接線上となるドリル軸の中間位置両外方位置に、前記ドリル軸の先端位置に対応する突出長さとした固定刃体を設けたことを特徴とするものである。
【０００９】
而して回転入力軸を適宜な回転電動工具の出力軸部と連結すると、ドリル軸及び枝板が回転し、堀穿対象壁面に回転切断部を押しつけると、ドリル軸の穿孔と前記穿孔個所を中心とした切断刃体の切込によって壁面に瓢箪型の穿孔が形成されると同時に、固定刃体が括れ個所に差し込まれることになって、括れ個所が切除され、結果的に単一作業で楕円形に近い長孔が穿設される。
【発明の効果】
【００１０】
本発明は上記の構成を備えたものであるから、２個の回転する切断刃体で穿孔を行うと同時に、固定刃体で前記切断刃体の回転円の括れ個所を切除するもので、単一作業で楕円形状（非瓢箪形状）に近い長孔を形成することができたものある。
【図面の簡単な説明】
【００１１】
【図１】本発明の実施形態の正面図。
【図２】同回転切断部の側面図。
【図３】同穿孔状態の説明図。
【発明を実施するための形態】
【００１２】
次に本発明の実施形態について説明する。実施形態に示した二軸ホールソーは、基本的に従前の器具と同様に把持本体１の基部側に回転入力軸２を設け、前面側に回転切断部３を設けたものである。
【００１３】
把持本体１は、内部に回転入力軸２への回転入力を同一回転数となる平行二軸に出力するようにした回転伝達機構部を設け、前面側に回転切断部３を囲繞し、且つ回転切断部３の先端側が相対的に露出可能としたカバー体１１を付設したものである。
【００１４】
回転切断部３は、それぞれ一対のドリル軸３１と、切断刃体３２を備えた枝板３３と、固定刃体３４で構成され、ドリル軸３１は、前記した把持本体１内の平行二軸の延長となるもので、先端をドリルに形成したものである。
【００１５】
枝板３３は、ドリル軸３１の根元側に周設したもので、先部をドリル軸３１と平行に、且つドリル軸３１の先端位置に対応する突出長さとし、先端に超硬チップを取り付けた切断刃体３２を設けたもので、ドリル軸３１と共に回転動作を行った際に、枝板３３の外周先端が互いに衝突しないように噛み合うような配置としてなる。
【００１６】
また固定刃体３４は、切断刃体３２の２個の回転軌跡円における両円に共に接する約接線上であって、ドリル軸３１間の中間の両外方位置に、適宜幅で、且つ前記ドリル軸の先端位置に対応する突出長さとしたものである。
【００１７】
而して回転入力軸２と適宜な回転電動工具の出力軸部とを連結して、電動工具と把持本体１とを手に持って、電動工具を作動させてドリル軸３１及び枝板３３を回転駆動し、堀穿対象壁面Ａに回転切断部３を押しつけると、ドリル軸３１の穿孔と前記穿孔個所を中心とした切断刃体３２の切込によって、従前の器具と同様に壁面Ａに瓢箪型の穿孔ａが形成されるが、同時に固定刃体３４が括れ個所ｂに差し込まれることになって、括れ個所ｂが切除され、結果的に単一作業で楕円形に近い長孔ｃが穿設されることになる。
【００１８】
またカバー体１１は、回転切断部３と相対的な出没作動を行うようにして、カバー体１１を壁面Ａに当接した状態で、回転切断部３のみを壁面Ａに押し込んでいくことで、切り屑の飛散が防止される。
【符号の説明】
【００１９】
１        把持本体
１１      カバー体
２        回転入力軸
３        回転切断部
３１      ドリル軸
３２      切断刃体
３３      枝板
３４      固定刃体
【図１】
2010247306.tif 000003
【図２】
2010247306.tif 000004
【図３】
2010247306.tif 000005